(57)【要約】  大型の誘導性リアクタンス素子を用いる必要がなく、ひいてはコストの上昇を招くことなく、スイッチング損失による電力変換効率の低下という問題を生じることもなく、力率の改善および高調波の抑制が可能であるとともに、直流母線電圧を目標とする電圧に近づけることのできる電源装置を提供する。電源装置において、交流電圧を整流する整流回路と、整流回路から出力される母線電流を検出する母線電流検出部と、整流回路から出力される母線電圧を検出する母線電圧検出部と、整流回路の入力側を短絡する短絡部と、短絡回路による短絡状態を制御するスイッチング制御部と、を含み、スイッチング制御部は、交流電圧が零になる零クロス点を基準とし、短絡部を連続して短絡動作させた後、短絡部を断続して短絡動作させる。
2017009963.tif 000002
【特許請求の範囲】
【請求項１】
交流電圧を整流する整流回路と、
前記整流回路から出力される母線電流を検出する母線電流検出部と、
前記整流回路から出力される母線電圧を検出する母線電圧検出部と、
前記整流回路の入力側を短絡する短絡部と、
前記短絡部による短絡状態を制御するスイッチング制御部と、
を含み、
前記スイッチング制御部は、前記交流電圧が零になる零クロス点を基準とし、前記短絡部を連続して短絡動作させた後、前記短絡部を断続して短絡動作させる
電源装置。
【請求項２】
前記零クロス点を検出する零クロス検出部を更に含み、前記スイッチング制御部は、前記零クロス検出部が検出する前記零クロス点から、前記交流電圧の１／４周期に相当する期間において、前記短絡部を連続して短絡動作させた後、前記短絡部を断続して短絡動作させる短絡信号を出力する
請求項１に記載の電源装置。
【請求項３】
前記スイッチング制御部は、
前記短絡信号の、前記短絡部を断続して短絡動作させる期間を、前記母線電圧検出部によって検出される母線電圧値と目標とする目標母線電圧との偏差に基づいて設定する
請求項１又は２に記載の電源装置。
【請求項４】
前記スイッチング制御部は、
前記偏差を徐々に低下させる信号と三角波信号との比較結果に基づいて、前記短絡信号を出力する
請求項１から請求項３のいずれか１つに記載の電源装置。
【発明の詳細な説明】
【技術分野】
【０００１】
本発明は、モータ等を駆動するためのインバータ装置等に搭載される電源装置に関する。
【背景技術】
【０００２】
交流電力を直流電力に変換して負荷に供給する直流電源装置において、電力変換効率およびＥＭＣ（Ｅｌｅｃｔｒｏ  Ｍａｇｎｅｔｉｃ  Ｉｎｔｅｒｆｅｒｅｎｃｅ）の観点から力率および高調波を抑制することが重要である。上記課題を解決するべく種々の装置、方法等が提案されている。【０００３】
特許文献１には、整流回路の入力側に接続されたリアクトルを、必要に応じてエネルギの蓄積及び放出を行うためのスイッチング素子であるトランジスタを交流電源の電圧の零クロス点を基準としたタイミングで連続オンさせたのち断続オンさせるとともに、その両オン時間を該直流電源装置の負荷の状態に基づいて設定するスイッチング制御部を備えた直流電源装置が提案されている。
【先行技術文献】
【特許文献】
【０００４】
【特許文献１】特開２００９−１００４９９号公報
【発明の概要】
【発明が解決しようとする課題】
【０００５】
しかしながら、特許文献１に記載の直流電源装置においては、直流母線電圧の制御は考慮されていない。このため、負荷にインバータ等の駆動装置を接続しモータなどを制御した場合に、所定の電圧が供給できない可能性がある。【０００６】
本発明は、簡素な構成で力率を適正値に保ち、高調波を抑制するとともに直流母線電圧を所望の電圧に制御することができる直流電源装置を提供することを目的とする。
【課題を解決するための手段】
【０００７】
上述した課題を解決し、目的を達成するために、本発明のある態様による電源装置は、交流電圧を整流する整流回路と、前記整流回路から出力される母線電流を検出する母線電流検出部と、前記整流回路から出力される母線電圧を検出する母線電圧検出部と、前記整流回路の入力側を短絡する短絡部と、前記短絡回路による短絡状態を制御するスイッチング制御部と、を含み、前記スイッチング制御部は、前記交流電圧が零になる零クロス点を基準とし、前記短絡部を連続して短絡動作させた後、前記短絡部を断続して短絡動作させる。
【発明の効果】
【０００８】
本発明にかかる電源装置は、簡素な構成で力率を適正値に保ち、高調波を抑制するとともに直流母線電圧を所望の電圧に制御することができるという効果を奏する。
【図面の簡単な説明】
【０００９】
【図１】本発明の実施の形態１にかかる電源装置の構成を示す図
【図２】本発明の実施の形態１にかかる電源装置の短絡回路による連続的短絡動作及び断続的短絡動作によって得られる電圧及び電流の波形の例を示す図
【図３】本発明の実施の形態１にかかる電源装置のスイッチング制御部の構成例を示す図
【図４】本発明の実施の形態１にかかる電源装置の零クロス検出部の構成例を示す図
【図５】図４の零クロス検出部の動作例を示す図
【図６】本発明の実施の形態１にかかる電源装置のスイッチング制御部内の制御ブロックの動作例を説明する図
【図７】本発明の実施の形態１にかかる電源装置のスイッチング制御部内の制御ブロックの動作例を説明する図
【図８】本発明の実施の形態１にかかる電源装置の短絡回路を短絡信号によって短絡することによって得られる電源装置の電圧及び電流の波形の例を示す図
【発明を実施するための形態】
【００１０】
以下に、本発明の実施の形態にかかる電源装置を図面に基づいて詳細に説明する。なお、この実施の形態によりこの発明が限定されるものではない。
【００１１】
実施の形態１．
図１は、実施の形態１にかかる電源装置の構成を示す図である。図１に示すように、実施の形態１にかかる電源装置は、交流電源１に整流回路２が接続され、その整流回路２の出力端に平滑コンデンサ３を介して負荷４が接続される。交流電源１は、例えば、商用の交流電源である。交流電源１の出力は、電圧値及び正負の向きが周期的に変化する。
【００１２】
負荷４は、例えばインバータ等のスイッチング回路等である。インバータは、例えば、ブラシレスＤＣモータへの駆動電力を出力するためのインバータである。
【００１３】
交流電源１と整流回路２との間の通電ラインには、誘導性リアクタンス素子いわゆるリアクトル５が接続される。そして、リアクトル５の接続位置より下流側の通電ラインＬ１，Ｌ２に短絡回路６が接続される。短絡回路６は、通電ラインＬ１と通電ラインＬ２とを短絡する短絡部として機能する。
【００１４】
短絡回路６は、ダイオードブリッジからなる整流回路７と、スイッチング素子８とを含む。スイッチング素子８は、例えば、バイポーラトランジスタ又はＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）などである。短絡回路６において、スイッチング素子８がオンすると、リアクトル５を含む通電ラインＬ１と通電ラインＬ２との間を短絡する短絡状態になる。その後、スイッチング素子８がオフすると、通電ラインＬ１と通電ラインＬ２との間の短絡を解除する短絡解除状態になる。
【００１５】
また、交流電源１には、零クロス検出部１０が接続される。零クロス検出部１０は、交流電源１の電圧の零クロス点を検出する。零クロス検出部１０は、例えば、フォトカプラ又はカレントトランスを備えている。零クロス検出部１０の検出結果である零クロス信号１０１は、スイッチング制御部１１内の制御ブロックに供給される。
【００１６】
母線電圧検出部１２は、平滑コンデンサ３と負荷４との間の通電ラインＬ３とＬ４との間に並列に接続される。母線電圧検出部１２は、通電ラインＬ３とＬ４との間の電圧である母線電圧を検出する。母線電圧検出部１２の検出結果である母線電圧検出値１２０は、スイッチング制御部１１に供給される。
【００１７】
平滑コンデンサ３と負荷４との間の通電ラインＬ４に直列に、母線電流検出部１３が接続される。母線電流検出部１３は、通電ラインＬ４に流れる直流電流である母線電流を検出する。母線電流検出部１３による母線電流の検出結果である母線電流検出値１３０は、スイッチング制御部１１に供給される。
【００１８】
スイッチング制御部１１は、短絡回路６を連続オン動作及び断続オン動作させるためのパルス状の短絡信号１１０を生成する。スイッチング制御部１１は、母線電圧検出部１２より検出した母線電圧と任意の目標とする電圧レベルとを基に短絡信号１１０を生成する。スイッチング制御部１１は、零クロス検出部１０によって検出された零クロス点を基準に、短絡信号１１０を生成する。スイッチング制御部１１は、短絡信号１１０のパルスがオン期間の時、短絡回路６のスイッチング素子８をオンし、短絡信号１１０のパルスがオフ期間の時、スイッチング素子８をオフする。
【００１９】
このスイッチング制御部１１は、零クロス検出部１０の検出タイミングを基準にして、母線電流検出部１３と母線電圧検出部１２とによって求めた負荷４の電力値、及び、母線電圧検出部１２によって検出した電圧と目標とする電圧レベルとの偏差に基づいて、短絡回路６を先ず連続オン動作させ、続いて断続オン動作させる。つまり、スイッチング制御部１１は、短絡信号１１０の、短絡回路６を連続して短絡動作させる期間及び短絡回路６を断続して短絡動作させる期間を、母線電圧検出部１２によって検出される母線電圧検出値と目標とする目標母線電圧との偏差に基づいて設定する。
【００２０】
次に、上記構成の電源装置の動作について説明する。交流電源１が投入されると、その交流電圧がリアクトル５を介して整流回路２に供給される。整流回路２では、交流電圧が直流電圧に変換される。この直流電圧は平滑コンデンサ３によって平滑される。平滑コンデンサ３によって平滑された直流電圧は、負荷４に供給される。
【００２１】
交流電源１の電圧の零クロス点が零クロス検出部１０で検出される。零クロス検出部１０で検出される零クロス点の検出タイミングを基準に、短絡回路６は母線電圧検出部１２によって検出された母線電圧検出値と目標とする母線電圧との偏差の値を基に断続オン動作する。
【００２２】
図２は、本発明の実施の形態１にかかる電源装置の短絡回路６による連続的短絡動作及び断続的短絡動作によって得られる電流の波形の例を示す図である。図２に示すように、短絡信号１１０に、連続オン動作の期間Ｔ１に続いて、断続オン動作の期間Ｔ２が存在することにより、電流の波形は正弦波に近づく。
【００２３】
（スイッチング制御部）
図３は、本発明の実施の形態１にかかる電源装置のスイッチング制御部１１の構成例を示す図である。図３に示すように、スイッチング制御部１１は、制御ブロック１００及び２００を備えている。
【００２４】
（制御ブロック１００）
制御ブロック１００は、電力算出部１５と、目標母線電圧算出部１６とを備えている。電力算出部１５は、母線電圧検出値１２０及び母線電流検出値１３０に基づいて負荷４の電力値（以下、負荷電力値と記す）を算出する。目標母線電圧算出部１６は、電力算出部１５が算出した負荷電力値１５０に対応するパルスを生成する。目標母線電圧算出部１６が生成するパルスは、目標母線電圧１６０として出力される。目標母線電圧１６０は、制御ブロック２００に入力される。
【００２５】
（制御ブロック２００）
制御ブロック２００は、演算器９と、ＰＩ（Ｐｒｏｐｏｒｔｉｏｎａｌ−Ｉｎｔｅｇｒａｌ）制御部１７と、演算・比較部１８とを備えている。演算器９は、目標母線電圧１６０と母線電圧検出値１２０との偏差を算出する。演算器９は、目標母線電圧１６０と母線電圧検出値１２０との偏差を偏差信号９０として出力する。ＰＩ制御部１７は、演算器９が算出する偏差信号９０の偏差が限りなく零になるように変化する比例積分制御信号を出力する。ＰＩ制御部１７の出力信号１７０は、演算・比較部１８に入力される。
【００２６】
演算・比較部１８は、信号生成部１７１と、比較部１７２とを有する。信号生成部１７１は、内部信号１７３を生成する。内部信号１７３は、母線電圧検出値１２０と目標母線電圧１６０との偏差を徐々に低下させる信号である。内部信号１７３は、Ｈレベルが継続する期間Ｔ１とＨレベルからＬレベルまで徐々に遷移する期間Ｔ２とを有する。信号生成部１７１は、ＰＩ制御部１７の出力信号１７０のＨレベルの期間に応じて、内部信号１７３の期間Ｔ１の長さ及び内部信号１７３の期間Ｔ２の長さをリニアに変化させる。例えば、信号生成部１７１は、出力信号１７０のＨレベルの期間の長さと期間Ｔ１の長さとの比を一定に保ったままで、出力信号１７０のＨレベルの期間に応じて、期間Ｔ２の長さを変化させる。信号生成部１７１は、期間Ｔ１の終点から、出力信号１７０のＨレベルの期間の終点まで、ＨレベルからＬレベルまで徐々に遷移する内部信号１７３を、線形近似によって生成する。比較部１７２は、内部信号１７３と三角波信号１８１とを比較する。比較部１７２は、三角波信号１８１の電圧レベルが内部信号１７３の電圧レベルを超える期間にＬレベルとなり、それ以外の期間にＨレベルとなる短絡信号１１０を出力する。三角波信号１８１は、予め設定した任意の周波数を有する。例えば、ＰＷＭ（Ｐｕｌｓｅ  Ｗｉｄｔｈ  Ｍｏｄｕｌａｔｉｏｎ）制御において用いられる三角波キャリア信号を、三角波信号１８１として利用することができる。
【００２７】
（零クロス検出部）
図４は、本発明の実施の形態１にかかる電源装置の零クロス検出部１０の構成例を示す図である。図５は、図４に示す零クロス検出部１０の動作例を示す図である。
【００２８】
図４に示すように零クロス検出部１０は、ダイオード２７と、フォトカプラ２８と、プルアップ抵抗２９と、抵抗３０とを備えている。
【００２９】
抵抗３０は、交流電源１による電流を制限する。フォトカプラ２８は、発光ダイオード２８１及びフォトトランジスタ２８２を内蔵している。発光ダイオード２８１とダイオード２７とは、アノード、カソードの向きが、互いに逆になるように接続される。フォトトランジスタ２８２は、コレクタがプルアップ抵抗２９に接続され、エミッタがグランドに接続される。フォトトランジスタ２８２は、発光ダイオード２８１が発光しているときにオンになり、発光していないときにオフになる。フォトトランジスタ２８２がオンになると零クロス信号１０１はＬレベル、フォトトランジスタ２８２がオフになると零クロス信号１０１はＨレベルになる。
【００３０】
図５に示すように、交流電源１の電圧は、周期的に変化する。ここで、発光ダイオード２８１は、交流電源１の電圧がプラス（＋）であるときに発光し、電圧がマイナス（−）であるときに発光しないものとする。このため、交流電源１の電圧がプラス（＋）であるときに零クロス信号１０１はＬレベル、交流電源１の電圧がマイナス（−）であるときに零クロス信号１０１はＨレベルになる。つまり、交流電源１の電圧が零ボルトを通過するごとに、零クロス信号１０１はＬレベルからＨレベルへ又はＨレベルからＬレベルへ遷移する。つまり、零クロス信号１０１は、交流電源１の出力電圧の１／２周期毎に零ボルトになる。このため、零クロス信号１０１は、交流電源１の出力電圧が零ボルトになる零クロス点（図５中の矢印で示す各タイミング）を示す信号になる。
【００３１】
（制御ブロック２００の動作例）
図６及び図７は、本発明の実施の形態１にかかる電源装置のスイッチング制御部１１内の制御ブロック３００の動作例を説明する図である。図６及び図７は、零クロス信号１０１、ＰＩ制御部１７の出力信号１７０、内部信号１７３、三角波信号１８１、短絡信号１１０について、波形の例を示す。ＰＩ制御部１７の出力信号１７０がＨレベルになる期間の最大値Ｔｏｎ＿ｍａｘは、零クロス信号１０１による零クロス点から電源電圧の１／４周期までの期間である。この電源電圧の１／４周期までの期間において、短絡信号１１０が出力される。
【００３２】
図６に示すように、内部信号１７３は、Ｈレベルが継続する期間Ｔ１１と、期間Ｔ１１の経過後に、期間Ｔ１１の終点から出力信号１７０のＨレベルの期間の終点まで、ＨレベルからＬレベルまで徐々に遷移する期間Ｔ２１とを有する。内部信号１７３と三角波信号１８１とは演算・比較部１８で電圧レベルが比較される。内部信号１７３が徐々にＬレベルになるように変化するため、三角波信号１８１の電圧レベルが内部信号１７３の電圧レベルよりも高い期間は演算・比較部１８の出力である短絡信号１１０がＬレベルになる。内部信号１７３は徐々にＬレベルになるように変化するため、短絡信号１１０のＨレベルの幅は、徐々に短くなり、最後は幅が無くなる。このように、内部信号１７３と三角波信号１８１との比較結果に基づいて、短絡回路６による短絡状態と短絡解除状態との割合が順次変更される。
【００３３】
図７に示す各信号は、図６に示す各信号と同様に変化する。内部信号１７３は、Ｈレベルが継続する期間Ｔ１２と、期間Ｔ１１の経過後に、期間Ｔ１２の終点から出力信号１７０のＨレベルの期間の終点まで、ＨレベルからＬレベルまで徐々に遷移する期間Ｔ２２とを有する。内部信号１７３は、ＰＩ制御部１７の出力信号１７０のＨレベルの期間の長さによって、Ｈレベルが継続する期間Ｔ１２の長さとＨレベルからＬレベルまで徐々に遷移する期間Ｔ２２の長さとが変化する。図７に示す動作例では、図６に示す動作例よりも、出力信号１７０のＨレベルの期間が短い。このため、図７に示す動作例では、図６に示す動作例よりも、内部信号１７３の期間Ｔ１２及び期間Ｔ２２が共に短い。すなわち、図６に示す動作例において内部信号１７３のＨレベルが継続する期間Ｔ１１よりも、図７に示す動作例において内部信号１７３のＨレベルが継続する期間Ｔ１２の方が短い。また、図６に示す動作例において内部信号１７３のＨレベルからＬレベルまで徐々に遷移する期間Ｔ２１よりも、図７に示す動作例において内部信号１７３のＨレベルが継続する期間Ｔ２２の方が短い。このため、短絡信号１１０のＨレベルの幅が無くなるタイミングは、図６に示す動作例よりも、図７に示す動作例の方が早い。
【００３４】
（電源装置の動作例）
図８は、本発明の実施の形態１にかかる電源装置の短絡回路６を短絡信号１１０によって短絡することによって得られる電源装置の電圧及び電流の波形の例を示す図である。図８は、母線電圧検出値１２０と目標母線電圧１６０との比較結果に基づいて短絡信号１１０を生成した場合の電源装置の動作例を示す。図８に示す動作例では、母線電圧検出値１２０と目標母線電圧１６０との比較結果によって短絡信号１１０の断続して短絡動作させる期間のＨレベルの幅が変化する。
【００３５】
図８に示すように、交流電源１の出力である交流電圧の１／４周期に相当する期間Ｔにおいて、短絡信号１１０には、短絡回路６を連続して短絡させるための期間Ｔ１と、短絡回路６を断続して短絡させるための期間Ｔ２とが存在する。
【００３６】
図８に示す期間Ｔ１は、母線電圧検出部１２によって検出される母線電圧検出値１２０と母線電流検出部１３によって検出される母線電流検出値１３０より求めた負荷の電力値に対応する期間である。
【００３７】
図８に示す期間Ｔ２は、連続して短絡させるための期間Ｔ１の経過後の期間である。期間Ｔ１を１つ目のパルスとすると、期間Ｔ２は、２つ目以降のパルスが含まれる期間である。期間Ｔ２は、母線電圧検出値１２０と目標母線電圧１６０との偏差が既定電圧２２１より大きい期間と既定電圧２２１より小さい期間とを含む。なお、零クロス点から、交流電源１の出力である交流電圧の１／４周期に相当する期間Ｔ以降から次の零クロス点までは短絡を行わない。
【００３８】
上記のように期間Ｔ１及び期間Ｔ２のようにＨレベルの幅が変化する短絡信号１１０は、短絡回路６のスイッチング素子８のスイッチング制御信号となる。このため、短絡回路６の連続的な短絡動作及び断続的な短絡動作によって得られる波形は、図８に示すように、整流回路２への入力電流の立上り波形が零クロス点側に拡大される。これによって、得られる波形は、交流電源電圧の立上り波形に近づいた状態となる。なお、得られる波形は、理想的には正弦波である。
【００３９】
以上の動作により、最初の連続的短絡動作（短絡信号１１０の最初のパルス）により入力電流が立上り、次の断続的短絡動作（短絡信号１１０の２つ目以降の各パルス）により入力電流が滑らかに変化していく。この滑らかな変化により、高調波成分を抑制するとともに力率が改善される。また、検出した母線電圧と目標母線電圧との偏差がある既定電圧未満になると、その偏差が零になるように断続オンさせることで、母線電圧検出値も目標母線電圧の値通りに制御することができる。
【００４０】
以上により、大型の誘導性リアクタンス素子を用いる必要がなく、ひいてはコストの上昇を招くことなく、スイッチング損失による電力変換効率の低下という問題を生じることもなく、力率の改善および高調波の抑制が可能であるとともに、直流母線電圧を目標とする電圧に近づけることのできる電源装置を実現できる。
【００４１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４２】
１  交流電源、２  整流回路、３  平滑コンデンサ、４  負荷、５  リアクトル、６  短絡回路、７  整流回路、８  スイッチング素子、９  演算器、１０  零クロス検出部、１１  スイッチング制御部、１２  母線電圧検出部、１３  母線電流検出部、１５  電力算出部、１６  目標母線電圧算出部、１７  ＰＩ制御部、１８  制御・比較部、１００，２００  制御ブロック、１７１  信号生成部、１７３  比較部、２８１  発光ダイオード、２８２  フォトトランジスタ。
【図１】
2017009963.tif 000003
【図２】
2017009963.tif 000004
【図３】
2017009963.tif 000005
【図４】
2017009963.tif 000006
【図５】
2017009963.tif 000007
【図６】
2017009963.tif 000008
【図７】
2017009963.tif 000009
【図８】
2017009963.tif 000010
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
交流電圧を整流する整流回路と、
前記整流回路から出力される母線電流を検出する母線電流検出部と、
前記整流回路から出力される母線電圧を検出する母線電圧検出部と、
前記整流回路の入力側を短絡する短絡部と、
前記短絡部による短絡状態を制御するスイッチング制御部と、
を含み、
前記スイッチング制御部は、前記交流電圧が零になる零クロス点を基準とし、前記短絡部を連続して短絡動作させる第１期間と、前記第１期間の後、前記短絡部を断続して短絡動作させる第２期間とについて、前記第１期間の長さ及び前記第２期間の長さをリニアに変化させる
電源装置。
【請求項２】
前記零クロス点を検出する零クロス検出部を更に含み、前記スイッチング制御部は、前記零クロス検出部が検出する前記零クロス点から、前記交流電圧の１／４周期に相当する期間において、前記短絡部を連続して短絡動作させた後、前記短絡部を断続して短絡動作させる短絡信号を出力する
請求項１に記載の電源装置。
【請求項３】
前記スイッチング制御部は、
前記短絡信号の、前記短絡部を連続して短絡動作させる前記第１期間と、前記短絡部を断続して短絡動作させる前記第２期間とを、前記母線電圧検出部によって検出される母線電圧値と目標とする目標母線電圧との偏差に基づいて設定する
請求項２に記載の電源装置。
【請求項４】
前記スイッチング制御部は、
前記偏差を徐々に低下させる信号と三角波信号との比較結果に基づいて、前記短絡信号を出力する
請求項３に記載の電源装置。
【手続補正２】
【補正対象書類名】明細書
【補正対象項目名】０００７
【補正方法】変更
【補正の内容】
【０００７】
上述した課題を解決し、目的を達成するために、本発明のある態様による電源装置は、交流電圧を整流する整流回路と、前記整流回路から出力される母線電流を検出する母線電流検出部と、前記整流回路から出力される母線電圧を検出する母線電圧検出部と、前記整流回路の入力側を短絡する短絡部と、前記短絡回路による短絡状態を制御するスイッチング制御部と、を含み、前記スイッチング制御部は、前記交流電圧が零になる零クロス点を基準とし、前記短絡部を連続して短絡動作させる第１期間と、前記第１期間の後、前記短絡部を断続して短絡動作させる第２期間とについて、前記第１期間の長さ及び前記第２期間の長さをリニアに変化させる。
【国際調査報告】
2017009963.tif 000011
2017009963.tif 000012
2017009963.tif 000013